(57)【要約】【課題】従来はパッケージハウス内に収納する電気品は、エンクロージャを有する構造であることや床面にアンカーで固定されている等、屋内使用と同等のものを使用していた。そのため、エンクロージャがあることによる機器集積率の低下、機器冷却効率の悪化、パッケージハウス内にエンクロージャの開閉空間を計画する必要がある等の課題があった。【解決手段】この発明では、パッケージハウス１内部に可動式の電気品ラック２、６、９を設け、可動式ラック２、６、９へ直接電気品を取り付けることで、収納電気品のエンクロージャを不要とし、電気品の集積率向上ならびにパッケージ内冷却装置の省力化を図ることができるコンテナ型電気品一体型パッケージハウスを得る。【選択図】図１
2016100420.tif 000002
【特許請求の範囲】
【請求項１】
電気品をエンクロージャを介さずに可動式ラックに直接取り付けるとともに、上記可動式ラックはメンテナンス時にパッケージハウス内に設けた保守・操作スペースに引き出されるよう構成されたことを特徴とするコンテナ型電気品一体パッケージ。
【請求項２】
上記可動式ラックは、上記パッケージハウス床面に設置した移動用レール上を移動可能に設けられた水平可動式ラックであることを特徴とする請求項１記載のコンテナ型電気品一体パッケージ。
【請求項３】
上記可動式ラックは、上記パッケージハウスの天井面から支持した吊り下げフレームと、この吊り下げフレーム内に設置された引出し式ラックとから構成され、電気品はエンクロージャを介せずに直接上記引出し式ラックに取り付けられていることを特徴とする請求項１記載のコンテナ型電気品一体パッケージ。
【請求項４】
上記引出し式ラックの上段のラックは、手前に引き出した後、中段あるいは下段に設けた保守・操作スペースまで下げることが可能な機械式アーム機構を備えたことを特徴とする請求項３記載のコンテナ型電気品一体パッケージ。
【請求項５】
上記移動用レール上に設けられた支柱と、この支柱の側面に電気品が取り付けられた垂直自立式回転式ラックを複数取り付け、上記垂直自立式回転式ラックは、メンテナンス時に上記レール上を水平移動するとともに、上記支柱を中心に回転するよう構成されたことを特徴とする請求項２記載のコンテナ型電気品一体パッケージ。
【請求項６】
上記パッケージハウス床面に設置した移動用レール上を移動可能に設けられた水平可動式ラック及び上記パッケージハウス壁面近傍に設置した固定式ラックを設け、電気品のうち特に振動に弱いものは、上記固定式ラックへ取り付けるようにしたことを特徴とする請求項２記載のコンテナ型電気品一体パッケージ。
【請求項７】
上記パッケージハウス床面に設置した上記移動用レール上を移動可能に設けられた上記水平可動式ラック及び上記パッケージハウス壁面近傍に設置したエンクロージャを有する電気品を同一パッケーシハウス内に収納するとともに、上記エンクロージャを有する電気品は上記パッケージハウスに設けた扉の近辺に配置するようにしたことを特徴とする請求項２記載のコンテナ型電気品一体パッケージ。
【請求項８】
パッケージハウス床面に設置した移動用レール上を移動可能に設けられた水平可動式ラック及び上記パッケージハウス壁面近傍に設置したエンクロージャを有する電気品を同一パッケーシハウス内に収納するとともに、メンテナンス時には上記エンクロージャを有する電気品は上記パッケージハウスに設けた扉を開放し、パッケージ外部からメンテナンスできるようにしたことを特徴とするコンテナ型電気品一体パッケージのメンテナンス方法。
【発明の詳細な説明】
【技術分野】
【０００１】
この発明は、発電システムなど多数の電気機器を備えるシステムにおいて、効率良く電気品を配置し、また、メンテナンスをやり易くしたコンテナ型電気品一体型パッケージに関するものである。
【背景技術】
【０００２】
従来のコンテナ型電気品一体型パッケージにおいては、パッケージハウス内に収納されるパッケージ内蔵機器としての電気品は建屋内に配置するものと同様に各電気品について夫々その収納容器である外装ケース状のエンクロージャを有しており、パッケージ内部に試験・点検時のみ必要となるエンクロージャ開閉用のスペースやメンテナンス空間を計画しておく必要があった。
また、電気品の配置計画時にはエンクロージャの寸法に制約を受けるが、エンクロージャ内部には機器を配置できないデッドスペースが存在しており、エンクロージャ内部のデッドスペースを有効に利用できていなかった。さらに、エンクロージャで覆われているため、エンクロージャ内部の電気品は冷却用空調の効果を受けにくく、ヒートスポットが生まれやすいので、パッケージ内部全域を電気品の適正温度以下に保つことが困難であった。
なお、ラックの搬出入を容易にするため、複数のガイドレールを用いたラックシステムが知られている（特許文献１）。
【先行技術文献】
【特許文献】
【０００３】
【特許文献１】特開２０１３−１４９９０５号公報（図１、図２）
【発明の概要】
【発明が解決しようとする課題】
【０００４】
従来のパッケージハウスは、以上のように構成されているのでエンクロージャの外形寸法や保守スペースからパッケージハウス内に必要以上のスペースを必要としていたほか、冷却効果も悪く最適な空調設計がなされていなかった。そのためパッケージハウス自体の数量増、および空調設備の規模増大、手配数量増加による工期の長期化など、コストアップにつながる問題点があった。
また、特許文献１に示されたラックシステムは、機器の搬出入時の利便性を考慮したもので、機器をエンクロージャの中に効率よく配置し、かつ、メンテナンス時のことも考慮したものではない。
【０００５】
この発明は上記のような課題を解決するためになされたものであり、電気品のエンクロージャに起因する配置・保守スペースの制約を最小限とし、空調設備の最適化を図ることができるパッケージハウスを得ることを目的とする。
【課題を解決するための手段】
【０００６】
この発明は、電気品をエンクロージャを介さずに可動式ラックに直接取り付けるとともに、上記可動式ラックはメンテナンス時にパッケージハウス内に設けた保守・操作スペースに引き出されるよう構成されたことを特徴とするコンテナ型電気品一体パッケージである。
【発明の効果】
【０００７】
この発明によれば、収納される電気品をパッケージ内の移動式ラックへ直接設置することで、電気品のエンクロージャを不要とし、必要時にラックを移動させて点検・保守用の作業用空間を作り出すことができるように構成したので、収納機器の集積率向上ならびに冷却効率の向上を実現できる。
【図面の簡単な説明】
【０００８】
【図１】この発明における実施の形態１を示す平面図である。
【図２】この発明における実施の形態１を示す正面図である。
【図３】この発明における実施の形態２を示す平面図である。
【図４】この発明における実施の形態２を示す側面図である。
【図５】この発明における実施の形態２を示す正面図である。
【図６】この発明における実施の形態３を示す平面図である。
【図７】この発明における実施の形態３を示す側面図である。
【図８】この発明における実施の形態３を示す正面図である。
【図９】この発明における実施の形態４を示す平面図である。
【図１０】この発明における実施の形態４を示す正面図である。
【図１１】この発明における実施の形態５を示す平面図である。
【図１２】この発明における実施の形態５を示す正面図である。
【発明を実施するための形態】
【０００９】
実施の形態１．
この発明における実施の形態１を図１および図２に基づいて説明する。図１は実施の形態１を上方から見た平面図を示し、図２はパッケージハウス１の短辺側から見た正面図を示す。
図１および図２において、電気品を収納するコンテナ型のパッケージハウス１内には、パッケージハウス１に収納する電気品（図示せず）を設置した垂直自立式移動式ラック２と、垂直自立式移動式ラック２を水平移動するためにパッケージハウス１の床Ａに取り付けた移動用レール３と、パッケージハウス１内の温度を調整する空調設備５とが設けられている。空調設備５は、パッケージハウス１の天井Ｂに取り付けられている。なお、一点鎖線で示す部分は、垂直自立式移動式ラック２に取り付けた電気品の保守・操作スペース４を示す。
【００１０】
次に、実施の形態１の動作について説明する。
図１において、電気品を垂直自立式移動式ラック２の表面に取り付け、電気品同士を接続する配線には保守・操作時に引き出すことを考慮し、十分な余長をもたせた可とう撚り線を使用する。複数並設された垂直自立式移動式ラック２の各々に装着される複数の電気品はそれぞれ各個別の電気品を収容する容器としてのエンクロージャを用いることなく垂直自立式移動式ラック２の表面に直接取り付けられ、エンクロージャを介することなく保守・操作が可能でメンテナンスを容易に行えるように配設されている。
通常は、パッケージハウス１に順序良く並べることで収納効率の向上を図る。保守・操作時には電気品を取り付けた垂直自立式移動式ラック２は、移動する際転倒しないように、パッケージハウス１の床面に設置したレール３に沿って水平移動する。垂直自立式移動式ラック２を水平移動させることでパッケージハウス１内に設けた保守・操作スペース４にて容易に保守・操作が可能となる。
この実施の形態１では、通常時には図１に示すように３台の垂直自立式移動式ラック２が並設状態で設置され、保守・操作時には保守・操作対象のそのうちの１台がレール３に沿って水平移動して保守・操作スペース４に移行され、保守・操作スペース４において保守・操作作業が実行される。
【００１１】
そして、電気品は垂直自立式移動式ラック２の表面にエンクロージャを用いることなく取り付けられているため、電気品の発熱によるヒートスポットが発生することもなく、空調設備５の冷却効果を効率よく受けることが可能となる。これらのことから、上記実施の形態１では、電気品をパッケージハウス１に収納している垂直自立式移動式ラック２に直接取り付けたことで、電気品の保守・点検スペースを阻害することなく電気品の集積率を向上し、かつ冷却効果の最適化を図れるようにしたので、スペース、冷却効果において高効率なものが得られる。
【００１２】
実施の形態２．
この発明における実施の形態２を図３〜５に基づいて説明する。
上記実施の形態１では、パッケージハウス１の床Ａに設置した移動用レール３上を水平移動させる垂直自立式移動式ラック２を適用することによる集積率向上、冷却効果の高効率化を可能とした場合について述べたが、図３、図４、図５に示すように、パッケージハウス１の天井Ｂから電気品を取り付けた引出し式ラック６を吊り下げる吊り下げフレーム７を設置し、保守・操作時は吊り下げフレーム７に沿って引出し式ラック６を手前に引き出すことで容易に保守・操作が可能となる。図３はこの発明における実施の形態２を上方から見た平面図、図４はパッケージハウス１の長手方向側面から見た側面図、図５はパッケージハウス１の短手方向側面から見た正面図である。図５から明らかなように、この実施の形態２では、引出し式ラック６を３段３列の９個吊り下げフレーム７内に設置している。
また、引出し式ラック６の最上段のラック６ａは、高い位置にあり安全上好ましくないため、手前に引出した後、引出し式ラック中段まで下げることが可能な機械式アーム機構（図示せず）を設ければ、作業の安全性が図れる。
【００１３】
実施の形態３．
この発明における実施の形態３を図６〜８に基づいて説明する。
上記実施の形態１では、パッケージハウス１の床に設置した移動用レール３上を水平移動させる垂直自立式移動式ラック２を適用することによる集積率向上、冷却効果の高効率化を可能とした場合について述べたが、図６、図７、図８に示すように、パッケージハウス１の床Ａに敷設した移動用レール３に立てた支柱８の四側面に電気品を取り付けた垂直自立式回転式ラック９を設置し、保守・点検時は、点検対象の垂直自立式回転式ラック９を水平移動ならびに回転させることで、容易に保守・点検が可能となる。
【００１４】
図６はこの発明の実施の形態３を上方から見た平面図、図７はパッケージハウス１の長手方向側面から見た側面図、図８はパッケージハウス１の短手方向側面から見た正面図である。図６に示すように、パッケージハウス１内には、移動用レール３に奥行き２列、左右方向３列で合計６個の支柱８が立設されている。この支柱８はレール３上で回転可能となっており、この支柱８の四側面に電気品を取り付ける回転式ラック９が取り付けられている。
機器の保守点検時には、点検対象の垂直自立式回転式ラック９を手前に水平移動させ、その後に該当のラック９を回転させることで、きわめて容易にメンテナンスが実施できる。
【００１５】
実施の形態４．
この発明における実施の形態４を図９および図１０に基づいて説明する。
上記実施の形態１では、パッケージハウス１の床Ａに設置した移動用レール３上を移動させる垂直自立式移動式ラック２を適用することによる収納率向上、冷却効果の高効率化を可能とした場合について述べたが、振動に極端に弱い機器がある場合には、図９、図１０に示すように、移動用レール３上を移動させる垂直自立式移動式ラック２に取り付けず、パッケージハウス１の壁面に用意した固定式ラック１０に取り付けるようにする。このようにすれば、ラック移動時の振動の影響を防ぎ、振動に弱い機器の品質を低下させることなく、容易にメンテナンスが実施できる。
【００１６】
実施の形態５．
この発明における実施の形態５を図１１および図１２に基づいて説明する。
上記実施の形態１では、パッケージハウス１の床Ａに設置した移動用レール３上を移動させる垂直自立式移動式ラック２を適用することによる収納率向上、冷却効果の高効率化を可能とした場合について述べたが、振動に極端に弱い機器がある場合には、図１１、図１２に示すように、移動用レール３上を移動させる垂直自立式移動式ラック２に取り付けず、従来どおりエンクロージャを有する電気品１１として、パッケージハウス１の壁面近傍に配置する。また、エンクロージャを有する電気品１１は、保守点検を考慮してパッケージハウス１の扉１２の近辺に設けられている。
【００１７】
エンクロージャを有する電気品１１は、パッケージハウス１に設けた扉１２を開放することにより生まれる外部保守・操作スペース１３を利用してパッケージハウス１の外部から保守・点検が可能となる。そのため、振動の影響を防ぎ、振動に弱い機器の品質を低下させることなく、またエンクロージャを有する電気品と同一パッケージハウス内に適用した場合でも、限られたスペースを更に有効に使うことが可能となり、振動に弱い機器の品質を低下させることなく、容易にメンテナンスが実施できる。
【００１８】
なお、本発明は、その発明の範囲内において、各実施の形態の一部または全部を自由に組み合わせたり、各実施の形態を適宜、変形、省略することが可能である。
【符号の説明】
【００１９】
１  パッケージハウス、２  垂直自立式移動式ラック、３  移動用レール、４  保守・操作スペース、５  空調設備、６  引出し式ラック、７  吊り下げフレーム、８  支柱、９  垂直自立式回転式ラック、１０  固定式ラック、１１  エンクロージャを有する電気品、１２  扉、１３  外部保守・操作スペース、Ａ  床、Ｂ  天井。
【図１】
2016100420.tif 000003
【図２】
2016100420.tif 000004
【図３】
2016100420.tif 000005
【図４】
2016100420.tif 000006
【図５】
2016100420.tif 000007
【図６】
2016100420.tif 000008
【図７】
2016100420.tif 000009
【図８】
2016100420.tif 000010
【図９】
2016100420.tif 000011
【図１０】
2016100420.tif 000012
【図１１】
2016100420.tif 000013
【図１２】
2016100420.tif 000014